(57)【要約】【課題】本発明は、被監視者以外の者に対する誤監視を低減できる被監視者監視システム、端末ユニットおよびコンピュータプログラムを提供する。【解決手段】本発明の被監視者監視システムは、監視対象である被監視者が生活を行う居室に設置され、前記居室内での被監視者の状態を検知する検知手段と、前記検知手段による検知に基づいて通知を行う監視機能を停止させるための指示入力を受け付ける監視機能停止指示入力手段と、前記監視機能停止指示入力手段の入力を受けて、前記監視機能を停止する監視機能停止処理手段と、複数の前記被監視者に対応した複数の前記検知手段に対して、前記監視機能の停止を含む前記監視機能の動作状態を識別可能に一覧表示する表示画面を表示する表示手段とを備える。【選択図】図８
2020108803.tif 000002
【特許請求の範囲】
【請求項１】
監視対象である被監視者が生活を行う居室に設置され、前記居室内での被監視者の状態を検知する検知手段と、
前記検知手段による検知に基づいて通知を行う監視機能を停止させるための指示入力を受け付ける監視機能停止指示入力手段と、
前記監視機能停止指示入力手段の入力を受けて、前記監視機能を停止する監視機能停止処理手段と、
複数の前記被監視者に対応した複数の前記検知手段に対して、前記監視機能の停止を含む前記監視機能の動作状態を識別可能に一覧表示する表示画面を表示する表示手段とを備える、
被監視者監視システム。
【請求項２】
前記表示画面上で、前記監視機能の監視設定を変更できる、
請求項１に記載の被監視者監視システム。
【請求項３】
前記表示手段は、タッチパネルで構成され、前記タッチパネルへの入力により、前記監視機能の監視設定を変更できる、
請求項１または請求項２に記載の被監視者監視システム。
【請求項４】
前記複数の検知手段に対して前記監視機能の監視設定を変更できる、
請求項１ないし請求項３のいずれか１項に記載の被監視者監視システム。
【請求項５】
前記複数の検知手段に対してグループ分け可能に構成され、前記グループに対する前記監視機能の監視設定を変更できる、
請求項１ないし請求項３のいずれか１項に記載の被監視者監視システム。
【請求項６】
前記監視機能停止指示入力手段は、壁に設置されたスイッチ、またはリモートコントローラーのスイッチである、
請求項１に記載の被監視者監視システム。
【請求項７】
前記監視機能の停止は、前記通知の停止である、
請求項１ないし請求項６のいずれか１項に記載の被監視者監視システム。
【請求項８】
前記監視機能の停止は、前記検知手段の検知動作または判定動作の停止である、
請求項１ないし請求項７のいずれか１項に記載の被監視者監視システム。
【請求項９】
前記監視機能の停止は、前記検知手段からの検知情報の通知の停止である、
請求項１ないし請求項７のいずれか１項に記載の被監視者監視システム。
【請求項１０】
前記検知手段からの信号を受信する管理サーバをさらに有し、
前記監視機能の停止は、前記管理サーバからの検知情報の通知の停止である、
請求項１ないし請求項７のいずれか１項に記載の被監視者監視システム。
【請求項１１】
前記通知を受信する端末ユニットをさらに有し、
前記監視機能の停止は、前記端末ユニットが前記通知に対し反応しないことである、
請求項１ないし請求項７のいずれか１項に記載の被監視者監視システム。
【請求項１２】
前記監視機能停止処理手段は、前記監視機能を停止した後、所定の時間経過後に、前記監視機能の停止を解除する、
請求項１ないし請求項１１のいずれか１項に記載の被監視者監視システム。
【請求項１３】
監視対象である複数の被監視者それぞれの行動を検知する複数の検知ユニットからの検知結果を受け付けて、前記検知結果を監視者に通知する端末ユニットであって、
前記検知ユニットによる検知に基づいて通知を行う監視機能を停止させるための指示入力を受け付ける監視機能停止指示入力手段と、
前記複数の被監視者に対して、前記監視機能の停止を含む前記監視機能の動作状態を識別可能に一覧表示する表示画面を表示する表示手段と、を備える、
端末ユニット。
【請求項１４】
監視対象である複数の被監視者それぞれの行動を検知する複数の検知ユニットからの検知結果を受け付けて、前記検知結果を監視者に通知する端末ユニットに、監視機能停止指示工程と表示工程とを実行させるコンピュータプログラムであって、
前記監視機能停止指示工程は、前記検知ユニットによる検知に基づいて通知を行う監視機能を停止させるための指示入力を受け付け、
前記表示工程は、前記複数の被監視者に対して、前記監視機能の停止を含む前記監視機能の動作状態を識別可能に一覧表示する表示画面を表示する、
コンピュータプログラム。
【発明の詳細な説明】
【技術分野】
【０００１】
本発明は、監視すべき監視対象である被監視者を監視する技術に関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看護者等よりもその増加が見込まれる。そして、我が国は、例えば２０１３年の合計特殊出生率が１．４３という少子化社会でもある。そのため、高齢な要看護者等を高齢の家族（配偶者、子、兄弟）が介護する老老介護も起きて来ている。
【０００３】
要看護者等は、病院や、老人福祉施設（日本の法令では老人短期入所施設、養護老人ホームおよび特別養護老人ホーム等）等の施設に入所し、その看護や介護を受ける。このような施設では、要看護者等が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士等は、定期的に巡視することによってその安否や様子を確認している。
【０００４】
しかしながら、要看護者等の増加数に対し看護師等の増加数が追い付かずに、看護業界や介護業界は、慢性的に人手不足になっている。さらに、日勤の時間帯に較べ、準夜勤や夜勤の時間帯では、看護師や介護士等の人数が減るため、一人当たりの業務負荷が増大するので、前記業務負荷の軽減が要請される。また、前記老老介護の事態は、前記施設でも例外ではなく、高齢の要看護者等を高齢の看護師等がケアすることもしばしば見られる。一般に高齢になると体力が衰えるため、健康であっても若い看護師等に比し看護等の負担が重くなり、また、その動きや判断も遅くなる。
【０００５】
このような人手不足や看護師等の負担を軽減するため、看護業務や介護業務を補完する技術が求められている。このため、近年では、要看護者等の、監視すべき監視対象である被監視者を監視（モニタ）する被監視者監視技術が研究、開発されている。
【０００６】
このような技術の一つとして、例えば特許文献１に開示されたナースコールシステムがある。この特許文献１に開示されたナースコールシステムは、ベッドに設置されて患者が看護師を呼び出すためのナースコール子機と、ナースステーションに設置されて前記ナースコール子機による呼び出しに応答するためのナースコール親機とを有するナースコールシステムであって、ベッド上の患者をベッド上方から撮像するカメラと、前記カメラの撮像映像から、患者が上半身を起こした状態及び患者がベッド上から離れた状態のうち少なくとも一方の発生を判断して注意状態発生信号を出力する状態判断手段とを有し、前記ナースコール親機は、前記注意状態発生信号を受けて報知動作する報知手段を有する。
【０００７】
一方、安否確認の点では、一人暮らしの独居者も前記要介護者等と同様であり、被監視対象者となる。
【０００８】
ところで、被監視者監視装置は、被監視者を監視する装置であるが、被監視者の居場所に被監視者ではない者が居ると誤監視してしまう。例えば清掃者等が被監視者の居場所に居る場合等である。この誤監視によって安否確認を促す発報が行われると、例えば看護師や介護士等の監視者に前記発報のあった被監視者の居場所に駆けつけたり、前記発報をリセットしたりする等の無駄な手間が生じてしまう。
【先行技術文献】
【特許文献】
【０００９】
【特許文献１】特開２０１４−９０９１３号公報
【発明の概要】
【００１０】
本発明は、上述の事情に鑑みて為された発明であり、その目的は、被監視者以外の者に対する誤監視を低減できる被監視者監視システム、端末ユニットおよびコンピュータプログラムを提供することである。
【００１１】
本発明にかかる被監視者監視システムは、監視対象である被監視者が生活を行う居室に設置され、前記居室内での被監視者の状態を検知する検知手段と、前記検知手段による検知に基づいて通知を行う監視機能を停止させるための指示入力を受け付ける監視機能停止指示入力手段と、前記監視機能停止指示入力手段の入力を受けて、前記監視機能を停止する監視機能停止処理手段と、複数の前記被監視者に対応した複数の前記検知手段に対して、前記監視機能の停止を含む前記監視機能の動作状態を識別可能に一覧表示する表示画面を表示する表示手段とを備える。本発明にかかる端末ユニットは、監視対象である複数の被監視者それぞれの行動を検知する複数の検知ユニットからの検知結果を受け付けて、前記検知結果を監視者に通知する端末ユニットであって、前記検知ユニットによる検知に基づいて通知を行う監視機能を停止させるための指示入力を受け付ける監視機能停止指示入力手段と、前記複数の被監視者に対して、前記監視機能の停止を含む前記監視機能の動作状態を識別可能に一覧表示する表示画面を表示する表示手段と、を備える。本発明にかかるコンピュータプログラムは、監視対象である複数の被監視者それぞれの行動を検知する複数の検知ユニットからの検知結果を受け付けて、前記検知結果を監視者に通知する端末ユニットに、監視機能停止指示工程と表示工程とを実行させるコンピュータプログラムであって、前記監視機能停止指示工程は、前記検知ユニットによる検知に基づいて通知を行う監視機能を停止させるための指示入力を受け付け、前記表示工程は、前記複数の被監視者に対して、前記監視機能の停止を含む前記監視機能の動作状態を識別可能に一覧表示する表示画面を表示する。本発明にかかる被監視者監視システム、端末ユニットおよびコンピュータプログラムは、被監視者以外の者に対する誤監視を低減できる。
【００１２】
上記並びにその他の本発明の目的、特徴及び利点は、以下の詳細な記載と添付図面から明らかになるであろう。
【図面の簡単な説明】
【００１３】
【図１】実施形態における被監視者監視システムの構成を示す図である。
【図２】前記被監視者監視システムにおける管理サーバユニットの構成を示す図である。
【図３】前記管理サーバユニットに記憶される監視機能停止解除情報テーブルの構成を示す図である。
【図４】前記被監視者監視システムにおける携帯端末ユニットの構成を示す図である。
【図５】前記管理サーバユニットにおける、監視機能の停止および解除に関する動作を示すフローチャートである。
【図６】前記管理サーバユニットにおける、監視機能の停止の自動解除に関する動作を示すフローチャートである。
【図７】前記携帯端末ユニットにおける、監視機能の停止および解除の指示に関する動作を示すフローチャートである。
【図８】前記携帯端末ユニットにおける表示画面の一例を示す図である。
【図９】変形形態において、前記携帯端末ユニットにおける表示画面の一例を示す図である。
【発明を実施するための形態】
【００１４】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１５】
本被監視者監視装置は、監視対象である被監視者を検知して前記被監視者を監視する被監視者監視装置であって、前記被監視者を監視する監視機能を停止する監視機能停止処理部を備えるものである。このような被監視者監視装置は、１個の機器として、一体に構成されて実現されて良く、また、システムとして、複数の機器で実現されて良い。被監視者監視装置が複数の機器で実現される場合に、前記監視機能停止処理部は、これら複数の機器のうちのいずれに実装されて良い。一例として、ここでは、前記被監視者監視装置がシステムとして複数の機器で実現されている場合について、前記被監視者監視装置の実施形態を説明する。なお、前記被監視者監視装置が１個の機器として一体に構成されて実現される場合についても、以下の説明と同様に、前記被監視者監視装置が構成できる。一例として、ここでは、前記監視機能停止処理部が後述の管理サーバユニットＳＶに実装される場合について、説明するが、このシステムのうちの他の機器（他のユニット）に実装される場合についても、以下の説明と同様に、前記被監視者監視装置が構成できる。あるいは、このシステムに、さらに、前記監視機能停止処理部を実装した機器（例えば監視機能の停止および解除を入り切りする壁スイッチやリモートコントローラ（いわゆるリモコン）等）を追加することもでき、この場合についても、以下の説明と同様に、説明できる。
【００１６】
図１は、実施形態における被監視者監視システムの構成を示す図である。図２は、前記被監視者監視システムにおける管理サーバユニットの構成を示す図である。図３は、前記管理サーバユニットに記憶される監視機能停止解除情報テーブルの構成を示す図である。図４は、前記被監視者監視システムにおける携帯端末ユニットの構成を示す図である。
【００１７】
前記被監視者監視装置をシステムとして実現したその一例の被監視者監視システムＭＳは、監視すべき（見守るべき）監視対象（見守り対象）である被監視者（見守り対象者）Ｏｂ（Ｏｂ−１〜Ｏｂ−４）を検知して前記被監視者Ｏｂを監視するシステムである。この被監視者監視システムＭＳは、例えば、図１に示すように、１または複数の検知ユニット（センサーユニット）ＳＵ（ＳＵ−１〜ＳＵ−４）と、管理サーバユニットＳＶと、固定端末ユニットＳＰと、１または複数の携帯端末ユニットＴＡ（ＴＡ−１、ＴＡ−２）とを備え、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続される。ネットワークＮＷには、通信信号を中継する例えばリピーター、ブリッジ、ルーターおよびクロスコネクト等の中継機が備えられても良い。図１に示す例では、これら複数の検知ユニットＳＵ−１〜ＳＵ−４、管理サーバユニットＳＶ、固定端末ユニットＳＰおよび複数の携帯端末ユニットＴＡ−１、ＴＡ−２は、アクセスポイントＡＰを含む無線ＬＡＮ（例えばＩＥＥＥ８０２．１１規格に従ったＬＡＮ等）ＮＷによって互いに通信可能に接続されている。
【００１８】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００１９】
検知ユニットＳＵは、ネットワークＮＷを介して他のユニットと通信する通信機能を備え、被監視者Ｏｂを検知する機器である。検知ユニットＳＵは、例えば、被監視者Ｏｂの放射する赤外線を検出することで被監視者Ｏｂを検知する人感センサや、マイクロ波を送受信して被監視者Ｏｂの体動（例えば呼吸動作等）によって生じた前記マイクロ波のドップラシフトを検出することで被監視者Ｏｂを検知するドップラシフト方式の体動センサや、被監視者Ｏｂを撮像して画像を生成しこの生成した画像から被監視者Ｏｂを検知する画像センサ等である。本実施形態では、検知ユニットＳＵは、管理サーバユニットＳＶとネットワークＮＷを介して通信可能に接続され、前記体動センサ、前記画像センサ、前記体動センサの出力（体動センサ出力）および前記画像センサの出力（画像）に基づいて被監視者Ｏｂの検知結果として被監視者Ｏｂの状態（状況）を判定するデータ処理回路、前記通信機能を行う通信インターフェース回路（例えばＬＡＮカード等）、これらを制御する制御回路およびその周辺回路を備えて構成され、前記検知結果を管理サーバユニットＳＶへ送信する。検知ユニットＳＵは、所定の他のユニットＳＶ、ＳＰ、ＴＡに前記生成した画像（静止画および動画を含む）を送信する。本実施形態では、検知ユニットＳＵは、固定端末ユニットＳＰや携帯端末ユニットＴＡ等に対してナースコールを通知するナースコール回路、および、固定端末ユニットＳＰや携帯端末ユニットＴＡ等との間で音声通話を行う通話回路を備え、ナースコールおよび音声通話が可能となっている。図１には、一例として、４個の第１ないし第４検知ユニットＳＵ−１〜ＳＵ−４が示されており、第１検知ユニットＳＵ−１は、被監視者Ｏｂの一人であるＡさんＯｂ−１の居室ＲＭ−１（不図示）に配設され、第２検知ユニットＳＵ−２は、被監視者Ｏｂの一人であるＢさんＯｂ−２の居室ＲＭ−２（不図示）に配設され、第３検知ユニットＳＵ−３は、被監視者Ｏｂの一人であるＣさんＯｂ−３の居室ＲＭ−３（不図示）に配設され、そして、第４検知ユニットＳＵ−４は、被監視者Ｏｂの一人であるＤさんＯｂ−４の居室ＲＭ−４（不図示）に配設されている。検知ユニットＳＵは、後記検知部の一例である。
【００２０】
固定端末ユニットＳＰは、ネットワークＮＷを介して他のユニットＳＵ、ＳＶ、ＴＡと通信する通信機能、所定の情報を表示する表示機能、および、所定の指示やデータを入力する入力機能等を備え、管理サーバユニットＳＶや携帯端末ユニットＴＡに与える所定の指示やデータを入力したり、検知ユニットＳＵで得られた検知結果や画像を表示したり等することによって、被監視者監視システムＭＳのユーザインターフェース（ＵＩ）として機能する機器である。このような固定端末ユニットＳＰは、例えば、通信機能付きのコンピュータによって構成可能である。
【００２１】
携帯端末ユニットＴＡは、ネットワークＮＷを介して他のユニットと通信する通信機能、所定の情報を表示する表示機能、所定の指示やデータを入力する入力機能、および、音声通話を行う通話機能等を備え、管理サーバユニットＳＶや検知ユニットＳＵに与える所定の指示やデータを入力したり、管理サーバユニットＳＶからの通知によって検知ユニットＳＵで得られた前記検知結果や画像を表示したり等することによって、被監視者Ｏｂに対する監視に関する情報（監視情報）を受けて表示する機器である。
【００２２】
このような携帯端末ユニットＴＡは、本実施形態では、例えば、図４に示すように、端末制御処理部（ＴＡ制御処理部）４１と、端末記憶部（ＴＡ記憶部）４２と、端末通信インターフェース部（ＴＡ通信ＩＦ部）４３と、端末音入出力部（ＴＡ音入出力部）４１と、端末入力部（ＴＡ入力部）４５と、端末表示部（ＴＡ表示部）４６と、端末インターフェース部（ＴＡＩＦ部）４７とを備える。
【００２３】
ＴＡ音入出力部４４は、ＴＡ制御処理部４１に接続され、外部の音を取得して携帯端末ユニットＴＡに入力するためのデバイスであって、ＴＡ制御処理部４１の制御に従って音を表す電気信号に応じた音を生成して出力するためのデバイスである。ＴＡ音入出力部４４は、例えば、音の音響振動を電気信号に変換するマイクロホン等と、音の電気信号を音の音響振動に変換するスピーカ等とを備えて構成される。ＴＡ音入出力部４４は、外部の音を表す電気信号をＴＡ制御処理部４４へ出力し、ＴＡ制御処理部４４から入力された電気信号を音の音響振動に変換して出力する。
【００２４】
ＴＡ入力部４５は、ＴＡ制御処理部４１に接続され、例えば、所定の操作を受け付け、携帯端末ユニットＴＡに入力するデバイスであり、例えば、所定の機能を割り付けられた複数の入力スイッチ等である。前記所定の操作には、被監視者監視システムＭＳにおける前記監視機能の停止か否かを指示するコマンド等の各種コマンドの入力操作、および、ログインするためのＩＤの入力操作等の監視する上で必要な各種操作等が含まれる。ＴＡ表示部４６は、ＴＡ制御処理部４１に接続され、ＴＡ制御処理部４１の制御に従って、ＴＡ入力部４５から入力された所定の操作内容、および、被監視者監視システムＭＳによって監視されている被監視者Ｏｂに対する監視に関する前記監視情報（例えば監視結果や画像等）等を表示するデバイスであり、例えばＬＣＤ（液晶ディスプレイ）および有機ＥＬディスプレイ等の表示装置である。本実施形態では、ＴＡ入力部４５およびＴＡ表示部４６からタッチパネルが構成されている。この場合において、ＴＡ入力部４５は、例えば抵抗膜方式や静電容量方式等の操作位置を検出して入力する位置入力デバイスである。このタッチパネルでは、ＴＡ表示部４６の表示面上に位置入力デバイスが設けられ、ＴＡ表示部４６に入力可能な１または複数の入力内容の候補が表示され、看護師や介護士等のユーザが、入力したい入力内容を表示した表示位置を触れると、位置入力デバイスによってその位置が検出され、検出された位置に表示された表示内容がユーザの操作入力内容として携帯端末ユニットＴＡに入力される。
【００２５】
ＴＡＩＦ部４７は、ＴＡ制御処理部４１に接続され、ＴＡ制御処理部４１の制御に従って、外部機器との間でデータの入出力を行うデバイスであり、例えば、Ｂｌｕｅｔｏｏｔｈ（登録商標）規格を用いたインターフェース回路、ＩｒＤＡ（Ｉｎｆｒａｒｅｄ  Ｄａｔａ  Ａｓｓｃｏｉａｔｉｏｎ）規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００２６】
ＴＡ通信ＩＦ部４３は、ＴＡ制御処理部４１に接続され、ＴＡ制御処理部４１の制御に従って通信を行うための通信デバイスである。ＴＡ通信ＩＦ部４３は、ＴＡ制御処理部４１から入力された転送すべきデータを収容した通信信号を、この被監視者監視システムＭＳのネットワークＮＷで用いられる通信プロトコルに従って生成し、この生成した通信信号をネットワークＮＷを介して他のユニットＳＵ、ＳＶ、ＳＰへ送信する。ＴＡ通信ＩＦ部４３は、ネットワークＮＷを介して他のユニットＳＵ、ＳＶ、ＳＰから通信信号を受信し、この受信した通信信号からデータを取り出し、この取り出したデータをＴＡ制御処理部４１が処理可能な形式のデータに変換してＴＡ制御処理部４１へ出力する。
【００２７】
ＴＡ記憶部４３は、ＴＡ制御処理部４１に接続され、ＴＡ制御処理部４１の制御に従って、各種の所定のプログラムおよび各種の所定のデータを記憶する回路である。前記各種の所定のプログラムには、例えば、被監視者Ｏｂに対する監視に関する前記監視情報をネットワークＮＷを介して送受信する情報送受信プログラムや、被監視者監視システムＭＳにおける前記監視機能の停止か否かを指示する監視機能指示処理プログラ等の制御処理プログラムが含まれる。ＴＡ記憶部４２は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、ＴＡ記憶部４２は、前記所定のプログラムの実行中に生じるデータ等を記憶するいわゆるＴＡ制御処理部４１のワーキングメモリとなるＲＡＭ（Ｒａｎｄｏｍ  Ａｃｃｅｓｓ  Ｍｅｍｏｒｙ）等を含む。
【００２８】
ＴＡ制御処理部４１は、携帯端末ユニットＴＡの各部を当該各部の機能に応じてそれぞれ制御し、被監視者Ｏｂに対する監視に関する情報を処理するための回路である。ＴＡ制御処理部４１は、例えば、ＣＰＵ（Ｃｅｎｔｒａｌ  Ｐｒｏｃｅｓｓｉｎｇ  Ｕｎｉｔ）およびその周辺回路を備えて構成される。ＴＡ制御処理部４１には、制御処理プログラムが実行されることによって、端末制御部（ＴＡ制御部）４１１および端末監視処理部（ＴＡ監視処理部）４１２を機能的に備える。
【００２９】
ＴＡ制御部４１１は、携帯端末ユニットＴＡの各部を当該各部の機能に応じてそれぞれ制御し、携帯端末ユニットＴＡの全体制御を司るものである。ＴＡ監視処理部４１２は、被監視者Ｏｂに対する監視に関する前記監視情報を処理するものである。
【００３０】
このような携帯端末ユニットＴＡは、例えば、いわゆるタブレット型コンピュータやスマートフォンや携帯電話機等の、持ち運び可能な通信端末装置によって構成可能である。
【００３１】
次に、管理サーバユニットＳＶについて説明する。管理サーバユニットＳＶは、ネットワークＮＷを介して他のユニットと通信する通信機能を備え、検知ユニットＳＵから被監視者Ｏｂに関する前記検知結果を受信して被監視者Ｏｂに対する監視に関する前記監視情報を管理する機器である。このような管理サーバユニットＳＶは、例えば、図２に示すように、サーバ制御処理部（ＳＶ制御処理部）１１と、サーバ記憶部（ＳＶ記憶部）１２と、サーバ通信インターフェース部（ＳＶ通信ＩＦ部）１３とを備える。
【００３２】
ＳＶ通信ＩＦ部１３は、ＴＡ通信ＩＦ部４３と同様に、ＳＶ制御処理部１１に接続され、ＳＶ制御処理部１１の制御に従って通信を行うための通信デバイスである。ＳＶ通信ＩＦ部１３は、ＳＶ制御処理部１１から入力された転送すべきデータを収容した通信信号を、この被監視者監視システムＭＳのネットワークＮＷで用いられる通信プロトコルに従って生成し、この生成した通信信号をネットワークＮＷを介して他のユニットＳＵ、ＳＰ、ＴＡへ送信する。ＳＶ通信ＩＦ部１３は、ネットワークＮＷを介して他のユニットＳＵ、ＳＰ、ＴＡから通信信号を受信し、この受信した通信信号からデータを取り出し、この取り出したデータをＳＶ制御処理部１１が処理可能な形式のデータに変換してＳＶ制御処理部１１へ出力する。
【００３３】
ＳＶ記憶部１２は、ＴＡ記憶部４２と同様に、ＳＶ制御処理部１１に接続され、ＳＶ制御処理部１１の制御に従って、各種の所定のプログラムおよび各種の所定のデータを記憶する回路である。前記各種の所定のプログラムには、例えば、クライアント（本実施形態では固定端末ユニットＳＰおよび携帯端末ユニットＴＡ等）の要求に応じたデータを前記クライアントに提供するサーバプログラムや、被監視者Ｏｂに対する監視に関する前記監視情報を管理する監視情報管理プログラムや、被監視者監視システムＭＳにおける前記監視機能の停止か否かを制御する監視機能処理プログラ等の制御処理プログラムが含まれる。ＳＶ記憶部１２は、例えばＲＯＭやＥＥＰＲＯＭ等を備える。そして、ＳＶ記憶部１２は、前記所定のプログラムの実行中に生じるデータ等を記憶するいわゆるＳＶ制御処理部１１のワーキングメモリとなるＲＡＭ等を含む。
【００３４】
そして、ＳＶ記憶部１２は、監視機能情報を記憶する停止解除情報記憶部１２１を機能的に備えている。前記監視機能情報は、検知ユニットＳＵを特定し識別するための検知ユニット識別子（検知ＩＤ）、および、前記検知ＩＤに対応付けられ前記検知ＩＤに対応付けられた前記検知ユニットＳＵに関する監視機能の停止か否かを表す監視機能停止解除情報を含む。この監視機能停止解除情報は、前記監視機能の停止を表す監視機能停止情報、および、前記監視機能の停止の解除（すなわち、前記監視機能の実行中、前記監視機能の稼働中）を表す監視機能非停止情報を含む。
【００３５】
この監視機能情報は、本実施形態では、テーブル形式で停止解除情報記憶部１２１に記憶されている。この監視機能情報を登録する監視機能情報テーブルＴＢは、例えば、図３に示すように、前記検知ＩＤを登録する検知ＩＤフィールド１２１１と、検知ＩＤフィールドに登録された検知ＩＤに対応する検知ユニットＳＵの前記配設場所情報を登録する配設場所フィールド１２１２と、検知ＩＤフィールドに登録された検知ＩＤに対応する検知ユニットＳＵの前記監視機能停止解除情報を登録する停止解除情報フィールド１２１３とを備え、検知ＩＤごとにレコードを備える。停止解除情報フィールド１２１３には、監視機能停止解除情報を示すフラグが登録されている。例えば、図３に示す例では、停止解除情報フィールド１２１３には、前記監視機能の停止を表す前記監視機能停止情報を意味するフラグ「１」、あるいは、前記監視機能の停止の解除を表す前記監視機能非停止情報を意味するフラグ「０」が登録される。この図３に示す例では、第１番目のレコードにおいて、検知ＩＤフィールド１２１１、配設場所フィールド１２１２および停止解除情報フィールド１２１３それぞれには、「ＳＵ−１」、「１０１」および「１」が登録されており、第２番目のレコードにおいて、検知ＩＤフィールド１２１１、配設場所フィールド１２１２および停止解除情報フィールド１２１３それぞれには、「ＳＵ−２」、「１０２」および「０」が登録されており、第３番目のレコードにおいて、検知ＩＤフィールド１２１１、配設場所フィールド１２１２および停止解除情報フィールド１２１３それぞれには、「ＳＵ−３」、「１０３」および「０」が登録されており、第４番目のレコードにおいて、検知ＩＤフィールド１２１１、配設場所フィールド１２１２および停止解除情報フィールド１２１３それぞれには、「ＳＵ−４」、「１０４−Ａ」および「１」が登録されており、第５番目のレコードにおいて、検知ＩＤフィールド１２１１、配設場所フィールド１２１２および停止解除情報フィールド１２１３それぞれには、「ＳＵ−５」、「１０４−Ｂ」および「１」が登録されており、そして、第６番目のレコードにおいて、検知ＩＤフィールド１２１１、配設場所フィールド１２１２および停止解除情報フィールド１２１３それぞれには、「ＳＵ−６」、「２０１」および「０」が登録されている。なお、図３において、「＊」は、情報が未登録（またはデフォルト）であることを示している。この図３の例では、第１、第４および第５検知ユニットＳＵ−１、ＳＵ−４、ＳＵ−５に関する監視機能が停止されている。
【００３６】
なお、デフォルトでは、停止解除情報フィールド１２１３には、前記監視機能非停止情報を意味するフラグ「０」が登録される。
【００３７】
ＳＶ制御処理部１１は、ＴＡ制御処理部４１と同様に、管理サーバユニットＳＶの各部を当該各部の機能に応じてそれぞれ制御し、検知ユニットＳＵから被監視者Ｏｂに関する前記検知結果を受信して被監視者Ｏｂの前記監視情報を管理する回路である。ＳＶ制御処理部１１は、例えば、ＣＰＵおよびその周辺回路を備えて構成される。ＳＶ制御処理部１１には、制御処理プログラムが実行されることによって、サーバ制御部（ＳＶ制御部）１１１、監視機能停止処理部１１２および停止解除情報処理部１１３を機能的に備える。
【００３８】
ＳＶ制御部１１１は、管理サーバユニットＳＶの各部を当該各部の機能に応じてそれぞれ制御し、管理サーバユニットＳＶの全体制御を司るものである。
【００３９】
停止解除情報処理部１１３は、ＳＶ通信ＩＦ部１３で受信した通信信号に収容されていた検知ＩＤに対応し停止解除情報記憶部１２１に記憶されている監視機能停止解除情報を、前記ＳＶ通信ＩＦ部１３で受信した前記通信信号に収容されていた監視機能停止解除情報で更新して停止解除情報記憶部１２１に記憶するものである。
【００４０】
監視機能停止処理部１１２は、被監視者Ｏｂを監視する監視機能を停止するものである。より具体的には、本実施形態では、監視機能停止処理部１１２は、ＳＶ通信ＩＦ部１３で受信した前記通信信号に収容されていた検知ＩＤに対応する検知ユニットＳＵの監視機能の停止か否かを、前記ＳＶ通信ＩＦ部１３で受信した前記通信信号に収容されていた前記監視機能停止解除情報で制御するものである。
【００４１】
監視機能停止処理部１１２は、前記監視機能を停止した後、所定の時間の経過後に、前記監視機能の停止を解除するものである。より具体的には、本実施形態では、停止解除情報処理部１１３は、前記監視機能を停止した後、前記所定の時間の経過後に、前記監視機能を停止した検知ユニットＳＵに検知ＩＤを介して対応し停止解除情報記憶部１２１に記憶されている監視機能停止解除情報を、前記監視機能停止解除情報の１つである前記監視機能非停止情報に更新して停止解除情報記憶部１２１に記憶し、監視機能停止処理部１１２は、前記監視機能を停止した後、前記所定の時間経過後に、前記監視機能を停止した前記検知ユニットＳＵの前記監視機能の停止を解除するものである。
【００４２】
なお、管理サーバユニットＳＶは、図１に破線で示すように、必要に応じて、さらに、制御処理部１１に接続され例えば各種コマンドや各種データ等を入力するサーバ入力部（ＳＶ入力部）１４、ＳＶ入力部１４で入力された各種コマンドや各種データおよび被監視者Ｏｂに対する監視に関する情報等を出力するサーバ出力部（ＳＶ出力部）１５、および、外部機器との間でデータの入出力を行うサーバインターフェース部（ＳＶＩＦ部）１６等を備えても良い。
【００４３】
このような管理サーバユニットＳＶは、例えば、通信機能付きのコンピュータによって構成可能である。
【００４４】
次に、本実施形態の動作について説明する。このような構成の被監視者監視システムＭＳでは、各ユニットＳＵ、ＳＶ、ＳＰ、ＴＡは、電源が投入されると、必要な各部の初期化を実行し、その稼働を始める。管理サーバユニットＳＶでは、その制御処理プログラムの実行によって、ＳＶ制御処理部１１には、ＳＶ制御部１１１、監視機能停止処理部１１２および停止解除情報処理部１１３が機能的に構成され、携帯端末ユニットＴＡでは、その制御処理プログラムの実行によって、ＴＡ制御処理部４１には、ＴＡ制御部４１１およびＴＡ監視処理部４１２が機能的に構成される。
【００４５】
そして、上記構成の被監視者監視システムＭＳは、大略、次の動作によって、各被監視者Ｏｂそれぞれを監視している。検知ユニットＳＵは、所定のサンプリング周期で前記体動センサの出力および前記画像センサの出力をサンプリングし、このサンプリングした前記体動センサの出力および前記画像センサの出力に基づいて被監視者Ｏｂの状態（状況）を判定し、この判定の結果、被監視者Ｏｂが予め設定された状態（例えば、起床、離床、転倒転落および微体動異常等の予め設定された所定の行動）であると判定すると、被監視者Ｏｂの検知結果として被監視者Ｏｂの状態（状況）を表す情報（被監視者状態情報）および自機の検知ＩＤ等を収容した通信信号（検知結果通信信号）をネットワークＮＷを介して管理サーバユニットＳＶへ送信する。検知ユニットＳＵは、公知技術によって被監視者Ｏｂの状態（状況）を判定できる。例えば、検知ユニットＳＵは、前記体動センサによって被監視者Ｏｂの呼吸動作に伴う胸部の体動（胸部の上下動）を検出し、その胸部の体動における周期の乱れや予め設定された閾値以下である前記胸部の体動における振幅を検知すると、前記微体動異常であると判定する。また例えば、検知ユニットＳＵは、前記画像センサによって被監視者Ｏｂの画像を取得し、この取得した画像から被監視者Ｏｂの人物領域を検出し、この検出した人物領域の縦横比から被監視者Ｏｂの姿勢（例えば立位、座位および横臥等）を判定し、この検出した人物領域の位置を検出し、これら判定、検出した被監視者Ｏｂの姿勢および位置に基づいて前記起床、離床および転倒転落の別を判定する。管理サーバユニットＳＶは、前記検知結果通信信号をネットワークＮＷを介して検知ユニットＳＵから受信すると、この検知結果通信信号に収容された被監視者Ｏｂの検知結果および検知ＩＤを対応付けて記憶部１２に記憶（記録）し、そして、この検知結果通信信号を固定端末ユニットＳＰおよび携帯端末ユニットＴＡに向け例えばブロードキャストやマルチキャストの同報通信で送信する。これによって被監視者Ｏｂの検知結果が報知される。なお、管理サーバユニットＳＶは、前記検知結果通信信号を、前記検知結果通信信号を送信した検知ユニットＳＵに予め対応付けたれた携帯端末ユニットＴＡにユニキャストで送信しても良い。固定端末ユニットＳＰおよび携帯端末ユニットＴＡは、前記検知結果通信信号をネットワークＮＷを介して管理サーバユニットＳＶから受信すると、この検知結果通信信号に収容された被監視者Ｏｂの検知結果、検知ＩＤに予め対応付けられた配設場所、および、前記検知ＩＤに予め対応付けられた被監視者Ｏｂの氏名を表示する。このような動作によって、被監視者監視システムＭＳは、各検知ユニットＳＵ、管理サーバユニットＳＶ、固定端末ユニットＳＰおよび携帯端末ユニットＴＡによって、各被監視者Ｏｂを検知して各被監視者Ｏｂを監視している。
【００４６】
次に、被監視者監視システムＭＳにおける、被監視者Ｏｂを監視する監視機能を停止する動作について、説明する。図５は、前記管理サーバユニットにおける、監視機能の停止および解除に関する動作を示すフローチャートである。図６は、前記管理サーバユニットにおける、監視機能の停止の自動解除に関する動作を示すフローチャートである。図７は、前記携帯端末ユニットにおける、監視機能の停止および解除の指示に関する動作を示すフローチャートである。図８は、前記携帯端末ユニットにおける表示画面の一例を示す図である。図８Ａは、入力画面を示し、図８Ｂは、監視リスト画面を示す。
【００４７】
まず、前記監視機能の停止を被監視者監視システムＭＳに設定する動作について説明する。例えば看護師や介護士等のユーザは、図８Ａに示す表示画面４５１を携帯端末ユニットＴＡに表示させる。より具体的には、携帯端末ユニットＴＡを起動すると、あるいは、ＴＡ入力部４５でユーザの所定の操作を受け付けると、ＴＡ制御処理部のＴＡ監視処理部４１２は、この図８Ａに示す表示画面４５１をＴＡ表示部４６に表示する。前記表示画面４５１は、ユーザ名表示領域４５１１と、ログインボタン４５１２と、見守り一時停止ボタン４５１３と、業務終了ボタン４５１４とを備える。ユーザ名表示領域４５１１は、当該携帯端末ユニットＴＡのユーザとして予め設定登録されているユーザ名を表示するための領域である。図８Ａに示す例では、「ＮＡさん」がユーザ名表示領域４５１１に表示されている。ログインボタン４５１２は、ログインを行うためのログイン画面に移行する指示を携帯端末ユニットＴＡに入力するためのボタンである。見守り一時停止ボタン４５１３は、前記監視機能の停止および解除を行うための監視機能停止解除画面に移行する指示を携帯端末ユニットＴＡに入力するためのボタンである。業務終了ボタン４５１４は、業務終了（ログオフ）を行うための業務終了画面（ログオフ画面）に移行する指示を携帯端末ユニットＴＡに入力するためのボタンである。
【００４８】
ユーザが見守り一時停止ボタン４５１３を操作し、図７において、ＴＡ監視処理部４１２は、このユーザによる見守り一時停止ボタン４５１３の操作を受け付けると（Ｓ４１）、管理サーバユニットＳＶに前記監視機能情報を要求する旨を表す情報を収容した通信信号（監視機能情報要求通信信号）を送信し、停止解除情報記憶部１２１の監視機能情報テーブルＴＢを参照した管理サーバユニットＳＶから、前記監視機能情報（検知ＩＤ、この検知ＩＤに対応付けられた監視機能停止解除情報、および、この検知ＩＤに対応付けられた検知ユニットＳＵの配設場所情報）を収容した通信信号（監視機能情報返信通信信号）を受信すると、この受信した監視機能情報返信通信信号の前記監視機能情報に基づいて、例えば図８Ｂに示す監視機能停止解除画面４５２ａをＴＡ表示部４６に表示する（Ｓ４２）。前記監視機能停止解除画面４５２ａは、監視リスト４５２１と、更新ボタン４５２２と、戻るボタン４５２３と、見守りボタン４５２４と、一時停止ボタン４５２５とを備える。
【００４９】
監視リスト４５２１は、被監視者監視システムＭＳによって監視されている被監視者Ｏｂの一覧であり、前記監視機能の停止および解除の別を携帯端末ユニットＴＡに仮入力する機能を持つ。より具体的には、監視リスト４５２１は、検知ＩＤに対応する検知ユニットＳＵにおける現在の監視機能停止解除情報（監視機能停止情報または監視機能非停止情報）を表示する停止解除情報表示欄４５２１１と、前記検知ＩＤに対応する検知ユニットＳＵの配置場所情報を表示する配置場所表示欄４５２１２と、前記検知ＩＤに対応する検知ユニットＳＵの配置場所に割り当てられている被監視者Ｏｂ（すなわち、前記検知ＩＤに対応する検知ユニットＳＵによって検知される被監視者Ｏｂ）の氏名を表示する被監視者氏名表示欄４５２１３を備え、前記検知ＩＤごとに表示行を備える。検知ＩＤは、検知ユニットＳＵに１対１で対応し、検知ユニットＳＵは、被監視者Ｏｂに１対１で対応するので、見た目上、監視リスト４５２１は、被監視者Ｏｂごとに表示行を備えることになる。なお、前記検知ＩＤに対応する検知ユニットＳＵによって検知される被監視者Ｏｂの氏名は、検知ＩＤに対応付けられて携帯端末ユニットＴＡに予め記憶される。あるいは、前記氏名は、前記検知ＩＤに対応付けられて監視機能情報返信通信信号に収容されても良い。図８Ａに示す例では、停止解除情報表示欄４５２１１の「レ」は、この表示行の検知ＩＤに対応する検知ユニットＳＵに関する監視機能が停止であることを示し、停止解除情報表示欄４５２１１の空欄は、この表示行の検知ＩＤに対応する検知ユニットＳＵに関する監視機能が非停止（監視機能の実行中、監視機能の稼働中）であることを示す。
【００５０】
そして、本実施形態では、ユーザの操作入力によって前記監視機能の停止および解除の別が、携帯端末ユニットＴＡに仮入力され、停止解除情報表示欄４５２１１は、この仮入力状態も表示する。より具体的には、ユーザは、タッチパネルにおいて、前記監視機能の停止および解除の別を切り換えたい監視機能停止解除情報を表示している表示行をタップする。このタップを受け付けると、ＴＡ監視処理部４１２は、監視リスト４５２１における前記タップされた表示行の表示色を変え（例えば緑色表示から赤色点滅表示へ変え）、前記監視機能の停止および解除の別が仮入力状態であることを表示する。
【００５１】
更新ボタン４５２２は、監視リスト４５２１を更新する指示を携帯端末ユニットＴＡに入力するためのボタンである。ユーザによる更新ボタン４５２２の操作を受け付けると、ＴＡ監視処理部４１２は、管理サーバユニットＳＶに前記監視機能情報要求通信信号を送信し、管理サーバユニットＳＶから前記監視機能情報返信通信信号を受信すると、この受信した監視機能情報返信通信信号の前記監視機能情報に基づいて監視リスト４５２１を更新した監視機能停止解除画面４５２ａをＴＡ表示部４６に表示する。
【００５２】
戻るボタン４５２３は、当該監視機能停止解除画面４５２ａを表示する１つ前に表示していた表示画面に戻る指示を携帯端末ユニットＴＡに入力するためのボタンである。ユーザによる戻るボタン４５２３の操作を受け付けると、ＴＡ監視処理部４１２は、現在表示している監視機能停止解除画面４５２ａの１つ前に表示していた表示画面をＴＡ表示部４６に表示する。
【００５３】
見守りボタン４５２４は、前記仮入力状態を表示している表示行に対応する検知ＩＤの検知ユニットＳＵに関する監視機能の非停止の指示を携帯端末ユニットＴＡに入力するためのボタンである。
【００５４】
一時停止ボタン４５２５は、前記仮入力状態を表示している表示行に対応する検知ＩＤの検知ユニットＳＵに関する監視機能の停止の指示を携帯端末ユニットＴＡに入力するためのボタンである。
【００５５】
次に、ユーザが一時停止ボタン４５２５または見守りボタン４５２４を操作し、ＴＡ監視処理部４１２は、このユーザによる一時停止ボタン４５２５または見守りボタン４５２４の操作を受け付けると（Ｓ４３）、ＴＡ監視処理部４１２は、管理サーバユニットＳＶに停止解除情報通信信号を送信し（Ｓ４４）、処理を終了する。より具体的には、ユーザが一時停止ボタン４５２５を操作し、ＴＡ監視処理部４１２は、このユーザによる一時停止ボタン４５２５の操作を受け付けると（Ｓ４３）、ＴＡ監視処理部４１２は、前記仮入力状態を表示している表示行に対応する検知ＩＤ、および、監視機能停止解除情報として監視機能停止情報を収容した停止解除情報通信信号を管理サーバユニットＳＶへ送信し（Ｓ４４）、前記仮入力状態を表示している表示行の停止解除情報表示欄４５２１１を、監視機能が停止であることを示す「レ」に更新した監視リスト４５２１をＴＡ表示部４６に表示し、処理を終了する。この監視機能停止情報を収容した停止解除情報通信信号を受信した管理サーバユニットＳＶの動作は、図５を用いて後述される。一方、ユーザが見守りボタン４５２４を操作し、ＴＡ監視処理部４１２は、このユーザによる見守りボタン４５２４の操作を受け付けると（Ｓ４３）、ＴＡ監視処理部４１２は、前記仮入力状態を表示している表示行に対応する検知ＩＤ、および、監視機能停止解除情報として監視機能非停止情報を収容した停止解除情報通信信号を管理サーバユニットＳＶへ送信し（Ｓ４４）、前記仮入力状態を表示している表示行の停止解除情報表示欄４５２１１を、監視機能が非停止であることを示す空欄に更新した監視リスト４５２１をＴＡ表示部４６に表示し、処理を終了する。この監視機能非停止情報を収容した停止解除情報通信信号を受信した管理サーバユニットＳＶの動作は、図５を用いて次に後述される。
【００５６】
次に、管理サーバユニットＳＶにおける、監視機能の停止および解除に関する動作につて説明する。一方、監視機能の停止および解除に関し、管理サーバユニットＳＶは、図５において、ＳＶ通信ＩＦ部１３によって通信信号を受信すると（Ｓ１１）、ＳＶ制御処理部１１は、この受信した通信信号が前記停止解除情報通信信号であるか否かを判定する（Ｓ１２）。この判定の結果、前記受信した通信信号が前記停止解除情報通信信号ではない場合（Ｎｏ）には、管理サーバユニットＳＶは、この監視機能の停止および解除に関する動作を終了し、前記判定の結果、前記受信した通信信号が前記停止解除情報通信信号である場合（Ｙｅｓ）には、管理サーバユニットＳＶは、次の処理Ｓ１３を実行する。
【００５７】
この処理Ｓ１３では、管理サーバユニットＳＶは、前記受信した前記停止解除情報通信信号に収容されている監視機能停止解除情報が監視機能停止情報であるか監視機能非停止情報であるかを判定する。この判定の結果、監視機能停止情報である場合（停止）には、管理サーバユニットＳＶは、次の処理Ｓ１４を実行する。一方、前記判定の結果、監視機能非停止情報である場合（解除）には、管理サーバユニットＳＶは、次の処理Ｓ１５を実行する。
【００５８】
この処理Ｓ１４では、管理サーバユニットＳＶは、監視機能停止処理部１１２によって、前記受信した前記停止解除情報通信信号に収容されていた検知ＩＤに対応する検知ユニットＳＵに関する監視機能を停止し、停止解除情報処理部１１３によって、前記受信した前記停止解除情報通信信号に収容されていた検知ＩＤに対応し停止解除情報記憶部１２１に記憶され監視機能情報テーブルＢＴに登録されている監視機能停止解除情報を、前記受信した前記停止解除情報通信信号に収容されていた監視機能停止情報で更新して停止解除情報記憶部１２１に記憶し、前記受信した前記停止解除情報通信信号に収容されていた検知ＩＤに対応する検知ユニットＳＵに関する監視機能を停止した旨を各携帯端末ユニットＴＡ等に報知するために、監視機能停止処理部１１２によって、前記受信した前記停止解除情報通信信号に収容されていた検知ＩＤおよび当該検知ＩＤに対応する検知ユニットＳＵに関する監視機能を停止した旨を表す情報を収容した通信信号（監視機能停止端末報知通信信号）を同報通信し、この監視機能の停止および解除に関する動作を終了する。監視機能停止処理部１１２は、例えば、前記検知結果通信信号をネットワークＮＷを介して検知ユニットＳＵから受信した場合に実行される上述の検知結果通信信号の同報通信を停止することで監視機能の停止を行う。また、前記監視機能停止端末報知通信信号を受信することで、携帯端末ユニットＴＡ等は、前記監視機能の停止に関し、最新の状況を保持できる。
【００５９】
この処理Ｓ１５では、管理サーバユニットＳＶは、監視機能停止処理部１１２によって、前記受信した前記停止解除情報通信信号に収容されていた検知ＩＤに対応する検知ユニットＳＵに関する監視機能の停止を解除（監視機能を稼働、監視機能の停止から復帰）し、停止解除情報処理部１１３によって、前記受信した前記停止解除情報通信信号に収容されていた検知ＩＤに対応し停止解除情報記憶部１２１に記憶され監視機能情報テーブルＢＴに登録されている監視機能停止解除情報を、前記受信した前記停止解除情報通信信号に収容されていた監視機能非停止情報で更新して停止解除情報記憶部１２１に記憶し、前記受信した前記停止解除情報通信信号に収容されていた検知ＩＤに対応する検知ユニットＳＵに関する監視機能の停止を解除した旨を各携帯端末ユニットＴＡ等に報知するために、監視機能停止処理部１１２によって、前記受信した前記停止解除情報通信信号に収容されていた検知ＩＤおよび当該検知ＩＤに対応する検知ユニットＳＵに関する監視機能の停止を解除した旨を表す情報を収容した通信信号（監視機能停止解除端末報知通信信号）を同報通信し、この監視機能の停止および解除に関する動作を終了する。監視機能停止処理部１１２は、例えば、前記検知結果通信信号をネットワークＮＷを介して検知ユニットＳＵから受信した場合に実行される上述の検知結果通信信号の同報通信を実行（再開）することで監視機能の停止の解除を行う。また、前記監視機能停止解除端末報知通信信号を受信することで、携帯端末ユニットＴＡ等は、前記監視機能の停止に関し、最新の状況を保持できる。
【００６０】
次に、管理サーバユニットＳＶにおける、監視機能の停止の自動解除に関する動作について説明する。上述の処理Ｓ１４で監視機能が停止されると、管理サーバユニットＳＶは、監視機能停止処理部１１２によって、前記受信した前記停止解除情報通信信号に収容されていた検知ＩＤに対応付けたタイマーをリセットしてスタートする（Ｓ２１）。
【００６１】
次に、管理サーバユニットＳＶは、監視機能停止処理部１１２によって、スタート中のタイマーがタイムアップしているか否かを判定する（Ｓ２２）。この判定の結果、タイムアップしていない場合（Ｎｏ）には、管理サーバユニットＳＶは、処理を処理Ｓ２２に戻し、一方、タイムアップしている場合（Ｙｅｓ）には、管理サーバユニットＳＶは、次の処理Ｓ２３を実行する。
【００６２】
この処理Ｓ２３では、タイムアップしたタイマーに対応する検知ＩＤを持つ検知ユニットＳＵに関する監視機能が既に解除されているか否かを、ＳＶ記憶部１２の停止解除情報記憶部１２１に記憶されている監視機能情報テーブルＴＢを参照することによって、判定する。この判定の結果、既に解除されている場合（Ｙｅｓ）には、管理サーバユニットＳＶは、この監視機能の停止の自動解除に関する動作を終了し、一方、既に解除されていない場合（停止である場合）（Ｎｏ）には、管理サーバユニットＳＶは、次の処理Ｓ２４を実行する。
【００６３】
この処理Ｓ２４では、管理サーバユニットＳＶは、タイムアップしたタイマーに対応する検知ＩＤを持つ検知ユニットＳＵに関する監視機能の停止を解除し、この監視機能の停止の自動解除に関する動作を終了する。より具体的には、管理サーバユニットＳＶは、上述の処理Ｓ１５と同様に、監視機能停止処理部１１２によって、タイムアップしたタイマーに対応する検知ＩＤに対応する検知ユニットＳＵに関する監視機能の停止を解除（監視機能を稼働、監視機能の停止から復帰）し、停止解除情報処理部１１３によって、タイムアップしたタイマーに対応する検知ＩＤに対応し停止解除情報記憶部１２１に記憶され監視機能情報テーブルＢＴに登録されている監視機能停止解除情報を、監視機能非停止情報で更新して停止解除情報記憶部１２１に記憶し、この監視機能の停止の自動解除に関する動作を終了する。監視機能停止処理部１１２は、例えば、前記検知結果通信信号をネットワークＮＷを介して検知ユニットＳＵから受信した場合に実行される上述の検知結果通信信号の同報通信を実行（再開）することで監視機能の停止の解除を行う。
【００６４】
以上説明したように、被監視者監視装置の一例である被監視者監視システムＭＳおよびこれに実装された被監視者監視方法は、監視機能停止処理部１１２を備えるので、必要に応じて、前記監視機能を停止でき、被監視者Ｏｂ以外の者に対する誤監視を低減できる。例えば清掃者等が被監視者Ｏｂの居場所に入る等の場合に、前記監視機能を停止できるから、このような場合における誤監視による安否確認を促す発報が行われず、誤発報に伴う例えば看護師等の監視者に生じる無駄な手間が防止できる。
【００６５】
なお、前記特許文献１には、モニタに表示されるカメラの撮像映像に対して、患者の判別を不可能とするための判別不可処理を実施する判別不可処理部が開示されているが、この判別不可処理部は、患者のプライバシーを保護するために、カメラの撮像映像をモザイク処理したり、カメラの撮像映像をマスキング処理したりするものであり、監視機能を停止するものではない。
【００６６】
被監視者監視装置の一例である被監視者監視システムＭＳおよびこれに実装された被監視者監視方法は、検知ユニットＳＵ（検知ＩＤ）ごとに、前記監視機能の停止か否かを表す監視機能停止解除情報を受け付ける停止解除情報受付部をさらに備えるので、前記複数の検知ユニットＳＵ（検知ＩＤ）ごとにきめ細かく前記監視機能の停止か否かを設定できる。なお、被監視者監視システムＭＳにとって携帯端末ユニットＴＡが、上述したように、後記停止解除情報受付部の一例に相当し、管理サーバユニットＳＶにとってＳＶ通信ＩＦ部１３が、上述したように、後記停止解除情報受付部の一例に相当する。また、管理サーバユニットＳＶがＳＶ入力部１４を備える場合には、このＳＶ入力部１４が、後記停止解除情報受付部の一例に相当しても良い。
【００６７】
被監視者監視装置の一例である被監視者監視システムＭＳおよびこれに実装された被監視者監視方法は、前記監視機能を停止した後、所定の時間の経過後に、前記監視機能の停止を自動的に解除するので、前記監視機能の停止の解除を受け付けなかった場合でも、前記監視機能を自動的に復帰でき、被監視者Ｏｂの監視を自動的に再開できる。
【００６８】
なお、上述の実施形態において、監視機能停止処理部１１２は、複数の検知ユニットＳＵをグループ分けしたグループごとに前記監視機能を停止するように、構成されて良い。そして、このような場合に、前記停止解除情報受付部（携帯端末ユニットＴＡやＳＶ通信ＩＦ部１３）は、前記グループごとに、前記監視機能停止解除情報を受け付けるように、構成されて良い。
【００６９】
より具体的には、上述の実施形態において、複数の検知ユニットＳＵ（検知ＩＤ）は、第１集団としてグループ分けされており、停止解除情報記憶部１２１は、検知ユニットＳＵ（検知ＩＤ）の属する第１集団のグループＧ１を特定し識別するための第１グループ識別子（第１グループＩＤ）を検知ＩＤに対応付けてさらに記憶する。より詳しくは、上述では、監視機能情報は、監視機能情報テーブルＴＢに登録されて停止解除情報記憶部１２１に記憶されるので、例えば、監視機能情報テーブルＴＢは、検知ＩＤフィールド１２１１、配設場所フィールド１２１２および停止解除情報フィールド１２１３に加えて、図３に破線で示すように、検知ＩＤフィールドに登録された検知ＩＤに対応する検知ユニットＳＵの属する第１集団のグループにおける第１グループＩＤを登録する第１グループＩＤフィールド１２１４をさらに備える。このような監視機能情報テーブルＴＢを記憶することで、停止解除情報記憶部１２１は、第１グループＩＤを記憶する。なお、図３に示す例では、第２および第３検知ユニットＳＵ−２、ＳＵ−３は、同一のグループＧ１−１に属し、そして、第４および第５検知ユニットＳＵ−４、ＳＵ−５は、同一のグループＧ１−２に属し、第２および第３検知ユニットＳＵ−２、ＳＵ−３のグループＧ１−１と第４および第５検知ユニットＳＵ−４、ＳＵ−５のグループＧ１−２とは、互いに異なる。そして、前記停止解除情報受付部は、外部から第１グループＩＤおよび前記第１グループＩＤに前記検知ＩＤを介して対応付けられた前記検知ユニットＳＵに関する前記監視機能の停止か否かを表す第１グループ監視機能停止解除情報をさらに受け付け、停止解除情報処理部１１３は、前記停止解除情報受付部で受け付けた前記第１グループＩＤに前記検知ＩＤを介して対応し停止解除情報記憶部１２１に記憶され監視機能情報テーブルＴＢに登録されている前記監視機能停止解除情報を、前記停止解除情報受付部で受け付けた前記第１グループ監視機能停止解除情報で更新して停止解除情報記憶部１２１に記憶し、監視機能停止処理部１１２は、前記停止解除情報受付部で受け付けた前記第１グループＩＤに前記検知ＩＤを介して対応する検知ユニットＳＵの監視機能の停止か否かを、前記停止解除情報受付部で受け付けた前記第１グループ監視機能停止解除情報で制御する。
【００７０】
図９は、この変形形態において、前記携帯端末ユニットにおける画面の一例を示す図である。一方、グループごとに前記監視機能の停止および解除の別を受け付け可能とするために、この変形形態では、ユーザが見守り一時停止ボタン４５１３を操作し、ＴＡ監視処理部４１２は、このユーザによる見守り一時停止ボタン４５１３の操作を受け付けると、管理サーバユニットＳＶに前記監視機能情報要求通信信号を送信し、停止解除情報記憶部１２１の監視機能情報テーブルＴＢを参照した管理サーバユニットＳＶから前記監視機能情報（検知ＩＤ、この検知ＩＤに対応付けられた監視機能停止解除情報、この検知ＩＤに対応付けられた検知ユニットＳＵの配設場所情報、および、この検知ＩＤに対応付けられた検知ユニットＳＵの第１グループＩＤ）を収容した監視機能情報返信通信信号を受信すると、この受信した監視機能情報返信通信信号の前記監視機能情報に基づいて、図８Ｂに示す監視機能停止解除画面４５２ａに代え、図９に示す監視機能停止解除画面４５２ｂをＴＡ表示部４６に表示する。この監視機能停止解除画面４５２ｂは、図８Ｂに示す監視機能停止解除画面４５２ａの監視リスト４５２１に、さらに、第１グループＩＤごとに、前記第１グループＩＤに前記検知ＩＤを介して対応付けられた前記検知ユニットＳＵに関する前記第１グループ監視機能停止解除情報を表示する第１グループ停止解除情報表示欄４５２１４を備える。そして、ユーザの操作入力によってグループごとに前記監視機能の停止および解除の別が、携帯端末ユニットＴＡに仮入力され、第１グループ停止解除情報表示欄４５２１４は、この仮入力状態も表示する。より具体的には、ユーザは、タッチパネルにおいて、グループごとに前記監視機能の停止および解除の別を切り換えたい第１グループ監視機能停止解除情報を表示している第１グループ停止解除情報表示欄４５２１４の表示行をタップする。このタップを受け付けると、ＴＡ監視処理部４１２は、監視リスト４５２１における前記タップされた表示行の表示色を変え（例えば緑色表示から赤色点滅表示へ変え）、グループごとの前記監視機能の停止および解除の別が仮入力状態であることを表示する。そして、ユーザが一時停止ボタン４５２５または見守りボタン４５２４を操作し、ＴＡ監視処理部４１２は、このユーザによる一時停止ボタン４５２５または見守りボタン４５２４の操作を受け付けると、ＴＡ監視処理部４１２は、管理サーバユニットＳＶに、第１グループＩＤおよび前記第１グループＩＤの第１グループ監視機能停止解除情報を収容した停止解除情報通信信号を送信し、処理を終了する。
【００７１】
そして、管理サーバユニットＳＶは、ＳＶ通信ＩＦ部１３によって、第１グループＩＤおよび前記第１グループＩＤの第１グループ監視機能停止解除情報を収容した停止解除情報通信信号を受信し、上述のように、停止解除情報処理部１１３によって監視機能情報テーブルＴＢ更新し、監視機能停止処理部１１２によって、第１グループごとに前記監視機能を停止する。
【００７２】
このような被監視者監視装置の一例である被監視者監視システムＭＳおよびこれに実装された被監視者監視方法は、前記グループに属する複数の検知ユニットＳＵ（第１グループＩＤ）を纏めて前記監視機能を停止できる。また、被監視者監視装置の一例である被監視者監視システムＭＳおよびこれに実装された被監視者監視方法は、前記グループごとに纏めて前記監視機能の停止か否かを設定できる。特に、前記グループに属する複数の検知ユニットＳＵ（第１グループＩＤ）を纏めて前記監視機能の停止か否かを設定できるので、前記検知ユニットＳＵ（検知ＩＤ）ごとに設定する場合に比べて、前記設定の手間を軽減できる。
【００７３】
また、このような観点から、監視機能停止処理部１１２は、複数の第１集団のグループをさらに第２集団のグループとしてグループ分けしたグループごとに前記監視機能を停止するように、構成されても良い。より具体的には、上述において、前記第１集団のグループは、複数であって、前記複数の第１集団のグループは、第２集団としてさらにグループ分けされており、停止解除情報記憶部１２１は、前記グループの属する第２集団のグループを特定し識別するための第２グループ識別子（第２グループＩＤ）を検知ＩＤに対応付けてさらに記憶する。より詳しくは、例えば、監視機能情報テーブルＴＢは、検知ＩＤフィールド１２１１、配設場所フィールド１２１２および停止解除情報フィールド１２１３に加えて、図３に破線で示すように、上述の第１グループＩＤフィールドおよび検知ＩＤフィールドに登録された検知ＩＤに対応する検知ユニットＳＵの属する第２集団のグループにおける第２グループＩＤを登録する第２グループＩＤフィールド１２１５をさらに備える。このような監視機能情報テーブルＴＢを記憶することで、停止解除情報記憶部１２１は、第２グループＩＤを記憶する。そして、前記停止解除情報受付部は、外部から第２グループＩＤおよび前記第２グループＩＤに検知ＩＤを介して対応付けられた検知ユニットＳＵに関する前記監視機能の停止か否かを表す第２グループ監視機能停止解除情報をさらに受け付け、停止解除情報処理部１１３は、前記停止解除情報受付部で受け付けた前記第２グループＩＤに前記検知ＩＤを介して対応し停止解除情報記憶部１２１に記憶されている監視機能停止解除情報を、前記停止解除情報受付部で受け付けた前記第２グループ監視機能停止解除情報で更新して停止解除情報記憶部１２１に記憶し、監視機能停止処理部１１２は、前記停止解除情報受付部で受け付けた前記第２グループＩＤに前記検知ＩＤを介して対応する検知ユニットＳＵの監視機能の停止か否かを、前記停止解除情報受付部で受け付けた前記第２グループ監視機能停止解除情報で制御する。
【００７４】
また、上述の実施形態では、前記検知結果通信信号をネットワークＮＷを介して検知ユニットＳＵから受信した場合に実行される上述の検知結果通信信号の同報通信を停止することで前記監視機能が停止されたが、これに限定するものではない。例えば、検知ユニットＳＵが被監視者Ｏｂを検知する検知動作を停止することで、前記監視機能が停止されて良く、また、検知ユニットＳＵが被監視者Ｏｂの状態（状況）を判定する判定動作を停止することで、前記監視機能が停止されて良い。これによって検知ユニットＳＵの省電力化が図れ、また、ネットワークＮＷの通信トラフィックが低減できる。また例えば、検知ユニットＳＵが管理サーバユニットＳＶへの前記検知結果通信信号の送信を停止することで、前記監視機能が停止されて良い。これによってネットワークＮＷの通信トラフィックが低減できる。また例えば、監視機能を停止した検知ユニットＳＵの検知ＩＤを含む前記検知結果通信信号をネットワークＮＷを介して検知ユニットＳＵから受信した場合に実行される上述の検知結果通信信号の同報通信を、前記検知結果通信信号が監視機能を停止した検知ユニットＳＵの検知ＩＤを含む場合に、固定端末ユニットＳＰおよび携帯端末ユニットＴＡが通知に対し反応しないこと、例えば検知結果の表示を行わないなどで、前記監視機能が停止されて良い。この手法は、検知ユニットＳＵや管理サーバユニットＳＶ等が特段の処理を実施することなく、携帯端末ユニットＴＡのみの対応で前記監視機能の停止をシンプルに実現できる。
【００７５】
なお、被監視者Ｏｂの状態（状況）の判定を、今回サンプリングされた前記体動センサの出力および前記画像センサの出力だけでなく、今回よりも過去にサンプリングされた前記体動センサの出力および前記画像センサの出力も用いる場合、すなわち、履歴を参照しながら判定する場合、前記検知動作の停止や判定動作の停止によって前記監視機能を停止すると、前記判定の精度が落ちてしまうが、上述の各ケース（同報通信の停止を含む）で前記監視機能が停止される場合、前記体動センサの出力および前記画像センサの出力は、遮断されないので、前記判定の精度が落ちることを防止できる。
【００７６】
また、上述の実施形態では、被監視者監視システムＭＳは、管理サーバユニットＳＶの情報処理量の軽減を図るために、検知ユニットＳＵが被監視者Ｏｂの状態（状況）を判定するように構成されたが、管理サーバユニットＳＶが検知ユニットＳＵから例えば前記体動センサの出力および前記画像センサの出力を受信して被監視者Ｏｂの状態（状況）を判定するように構成されても良い。
【００７７】
本明細書は、上記のように様々な態様の技術を開示しているが、そのうち主な技術を以下に纏める。
【００７８】
一態様にかかる被監視者監視装置は、監視対象である被監視者の所定の行動を検知して通知する監視機能を停止する監視機能停止処理部を備える。好ましくは、他の一態様では、被監視者監視装置は、前記被監視者を検知する複数の検知部と、前記検知部を特定し識別するための検知識別子、および、前記検知識別子に対応付けられ前記検知識別子に対応付けられた前記検知部に関する前記監視機能の停止か否かを表す監視機能停止解除情報、を記憶する停止解除情報記憶部と、外部から前記検知識別子および前記監視機能停止解除情報を受け付ける停止解除情報受付部と、前記停止解除情報受付部で受け付けた前記検知識別子に対応し前記停止解除情報記憶部に記憶されている前記監視機能停止解除情報を、前記停止解除情報受付部で受け付けた前記監視機能停止解除情報で更新して前記停止解除情報記憶部に記憶する停止解除情報処理部と、前記停止解除情報受付部で受け付けた前記検知識別子に対応する前記検知部の監視機能の停止か否かを、前記停止解除情報受付部で受け付けた前記監視機能停止解除情報で制御する監視機能停止処理部とを備える。好ましくは、上述の被監視者監視装置において、前記監視機能停止解除情報は、前記監視機能の停止を表す監視機能停止情報および前記監視機能の停止の解除（すなわち、監視機能の実行中、監視機能の稼働中）を表す監視機能非停止情報を含む。
【００７９】
このような被監視者監視装置は、監視機能停止処理部を備えるので、必要に応じて、前記監視機能を停止でき、被監視者以外の者に対する誤監視を低減できる。
【００８０】
他の一態様では、上述の被監視者監視装置において、前記監視機能の停止は、前記通知の停止である。
【００８１】
このような被監視者監視装置は、精度を落とすことなく、監視機能を停止できる。
【００８２】
他の一態様では、上述の被監視者監視装置において、前記被監視者の所定の行動を検知する検知ユニットを有し、前記監視機能の停止は、前記検知ユニットの検知動作または判定動作の停止である。
【００８３】
このような被監視者監視装置は、検知ユニットの省電力化を図ることができる。
【００８４】
他の一態様では、上述の被監視者監視装置において、前記被監視者の所定の行動を検知する検知ユニットを有し、前記監視機能の停止は、前記検知ユニットからの検知情報の通知の停止である。
【００８５】
このような被監視者監視装置は、通信トラフィックを低減できる。
【００８６】
他の一態様では、上述の被監視者監視装置において、前記被監視者の所定の行動を検知する検知ユニットからの信号を受信する管理サーバをさらに有し、前記監視機能の停止は、前記管理サーバからの検知情報の通知の停止である。
【００８７】
このような被監視者監視装置は、通信トラフィックを低減できる。
【００８８】
他の一態様では、上述の被監視者監視装置において、前記通知を受信する端末ユニットをさらに有し、前記監視機能の停止は、前記端末ユニットが前記通知に対し反応しないことである。
【００８９】
このような被監視者監視装置は、検知ユニットや管理サーバユニット等が特段の処理を実施することなく、受信側の携帯端末ユニットのみの対応で前記監視機能の停止をシンプルに実現できる。
【００９０】
他の一態様では、これら上述の被監視者監視装置において、前記被監視者の前記所定の行動を検知する複数の検知ユニットを備え、前記監視機能停止処理部は、前記複数の検知ユニットをグループ分けしたグループごとに前記監視機能を停止する。好ましくは、他の一態様では、上述の被監視者監視装置において、前記複数の検知部は、第１集団としてグループ分けされており、前記停止解除情報記憶部は、前記検知部の属する第１集団のグループを特定し識別するための第１グループ識別子を前記検知識別子に対応付けてさらに記憶し、前記停止解除情報受付部は、外部から前記第１グループ識別子および前記第１グループ識別子に前記検知識別子を介して対応付けられた前記検知部に関する前記監視機能の停止か否かを表す第１グループ監視機能停止解除情報をさらに受け付け、前記停止解除情報処理部は、前記停止解除情報受付部で受け付けた前記第１グループ識別子に前記検知識別子を介して対応し前記停止解除情報記憶部に記憶されている前記監視機能停止解除情報を、前記停止解除情報受付部で受け付けた前記第１グループ監視機能停止解除情報で更新して前記停止解除情報記憶部に記憶し、前記監視機能停止処理部は、前記停止解除情報受付部で受け付けた前記第１グループ識別子に前記検知識別子を介して対応する前記検知部の監視機能の停止か否かを、前記停止解除情報受付部で受け付けた前記第１グループ監視機能停止解除情報で制御するものである。
【００９１】
このような被監視者監視装置は、前記グループに属する複数の検知部を纏めて前記監視機能を停止できる。
【００９２】
このような観点から、好ましくは、他の一態様では、上述の被監視者監視装置において、前記グループは、複数であって、前記複数のグループは、第２集団としてグループ分けされており、前記停止解除情報記憶部は、前記グループの属する第２集団のグループを特定し識別するための第２グループ識別子を前記検知識別子に対応付けてさらに記憶し、前記停止解除情報受付部は、外部から前記第２グループ識別子および前記第２グループ識別子に前記検知識別子を介して対応付けられた前記検知部に関する前記監視機能の停止か否かを表す第２グループ監視機能停止解除情報をさらに受け付け、前記停止解除情報処理部は、前記停止解除情報受付部で受け付けた前記第２グループ識別子に前記検知識別子を介して対応し前記停止解除情報記憶部に記憶されている前記監視機能停止解除情報を、前記停止解除情報受付部で受け付けた前記第２グループ監視機能停止解除情報で更新して前記停止解除情報記憶部に記憶し、前記監視機能停止処理部は、前記停止解除情報受付部で受け付けた前記第２グループ識別子に前記検知識別子を介して対応する前記検知部の監視機能の停止か否かを、前記停止解除情報受付部で受け付けた前記第２グループ監視機能停止解除情報で制御するものである。
【００９３】
他の一態様では、これら上述の被監視者監視装置において、前記検知ユニットごとおよび前記グループごとのうちの少なくとも一方で、前記監視機能の停止か否かを表す監視機能停止解除情報を受け付ける停止解除情報受付部をさらに備え、前記監視機能停止処理部は、前記停止解除情報受付部で受け付けた前記監視機能停止解除情報に応じて前記監視機能の停止か否かを制御する。
【００９４】
このような被監視者監視装置は、停止解除情報受付部を備えるので、前記複数の検知部ごとに受け付け可能に構成されている場合には、前記複数の検知部ごとにきめ細かく前記監視機能の停止か否かを設定でき、前記グループごとに受け付け可能に構成されている場合には、前記グループごとに纏めて前記監視機能の停止か否かを設定できる。特に、前記グループごとに受け付け可能に構成されている場合には、上記被監視者監視装置は、前記グループに属する複数の検知部を纏めて前記監視機能の停止か否かを設定できるので、前記検知部ごとに設定する場合に比べて、前記設定の手間を軽減できる。
【００９５】
他の一態様では、これら上述の被監視者監視装置において、前記監視機能停止処理部は、前記監視機能を停止した後、所定の時間の経過後に、前記監視機能の停止を解除する。好ましくは、他の一態様では、これら上述の被監視者監視装置において、前記停止解除情報処理部は、前記監視機能を停止した後、所定の時間の経過後に、前記監視機能を停止した前記検知部に前記検知識別子を介して対応し前記停止解除情報記憶部に記憶されている前記監視機能停止解除情報を、前記監視機能停止解除情報の１つである、前記監視機能の停止の解除を表す監視機能非停止情報に更新して前記停止解除情報記憶部に記憶し、前記監視機能停止処理部は、前記監視機能を停止した後、所定の時間経過後に、前記監視機能を停止した前記検知部の前記監視機能の停止を解除するものである。
【００９６】
このような被監視者監視装置は、前記監視機能を停止した後、所定の時間の経過後に、前記監視機能の停止を自動的に解除するので、前記監視機能の停止の解除を受け付けなかった場合でも、前記監視機能を自動的に復帰でき、被監視者の監視を自動的に再開できる。
【００９７】
他の一態様にかかる被監視者監視方法は、監視対象である被監視者の所定の行動を検知する検知ステップと、前記検知の結果を通知する通知ステップと、前記検知ステップおよび前記通知ステップのうちの少なくともいずれか一方を停止する監視機能停止処理ステップを備える。
【００９８】
このような被監視者監視方法は、監視機能停止処理ステップを備えるので、必要に応じて、前記被監視者の監視を停止でき、被監視者以外の者に対する誤監視を低減できる。
【００９９】
この出願は、２０１５年３月２６日に出願された日本国特許出願特願２０１５−６５２８７を基礎とするものであり、その内容は、本願に含まれるものである。
【０１００】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１０１】
本発明によれば、被監視者監視装置および被監視者監視方法を提供できる。
【符号の説明】
【０１０２】
Ｏｂ（Ｏｂ−１〜Ｏｂ−４）  被監視者
ＮＳ（ＮＳ−１、ＮＳ−２）  監視者（ユーザ）
ＭＳ  被監視者監視システム
ＳＵ  検知ユニット
ＳＶ  管理サーバユニット
ＳＰ  固定端末ユニット
ＴＡ  携帯端末ユニット
ＴＢ  監視機能情報テーブル
１１  サーバ制御処理部（ＳＶ制御処理部）
１２  サーバ記憶部（ＳＶ記憶部）
１３  サーバ通信インターフェース部（ＳＶ通信ＩＦ部）
４１  端末制御処理部（ＴＡ制御処理部）
４２  端末記憶部（ＴＡ記憶部）
４３  端末通信インターフェース部（ＴＡ通信ＩＦ部）
４４  端末音入出力部（ＴＡ音入出力部）
４５  端末入力部（ＴＡ入力部）
４６  端末表示部（ＴＡ表示部）
１１２  監視機能停止処理部
１１３  停止解除情報処理部
１２１  停止解除情報記憶部
【図１】
2020108803.tif 000003
【図２】
2020108803.tif 000004
【図３】
2020108803.tif 000005
【図４】
2020108803.tif 000006
【図５】
2020108803.tif 000007
【図６】
2020108803.tif 000008
【図７】
2020108803.tif 000009
【図８】
2020108803.tif 000010
【図９】
2020108803.tif 000011
【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
監視対象である要看介護者の所定の状態を検知して複数の監視者に通知することで前記要看介護者を監視する要看介護者監視システムであって、
前記要看介護者の、起床、離床、転倒転落および微体動異常の少なくともいずれかの状態を検知し出力する検知手段と、
前記検知手段による検知を前記監視者に通知する複数の端末手段と、
前記所定の状態を検知して前記監視者への通知を行う監視機能を、一時停止させるための指示入力を受け付ける監視機能停止指示入力手段と、
前記監視機能停止入力手段の入力を受けて、前記監視機能を一時停止させ、所定の時間経過後に、前記監視機能の一時停止を解除する監視機能停止処理手段と、を備え、
前記監視機能の一時停止により前記複数の監視者への通知を停止し、前記前記監視機能の一時停止の解除により前記複数の監視者への通知を再開する、
要看介護者監視システム。
【請求項２】
前記検知手段は、複数であり、
複数の前記検知手段における前記監視機能の一時停止を含む前記監視機能の動作状態を、識別可能に一覧表示する表示画面を表示する表示手段をさらに有する、
請求項１の要看介護者監視システム。
【請求項３】
前記監視機能の一時停止は、前記検知手段の検知の一時停止である、
請求項１または２に記載の要看介護者監視システム。
【請求項４】
前記検知手段の検知に基づき、前記看介護者の状態の判定を行う判定手段を備え、
前記監視機能の一時停止は、前記状態の判定の一時停止である、
請求項１または２に記載の要看介護者監視システム。
【請求項５】
前記監視機能の一時停止は、前記検知手段からの出力の一時停止である、
請求項１または２に記載の要看介護者監視システム。
【請求項６】
前記検知手段からの出力を受け付け、前記端末手段に出力する管理手段を備え、
前記監視機能の一時停止は、前記管理手段による出力の一時停止である、
請求項１または２に記載の要看介護者監視システム。
【請求項７】
前記監視機能の一時停止は、前記端末手段が受け付けた前記検知の出力を前記監視者に一時的に通知しないことである、
請求項１または２に記載の要看介護者監視システム。
【手続補正３】
【補正対象書類名】明細書
【補正対象項目名】００１０
【補正方法】変更
【補正の内容】
【００１０】
本発明は、上述の事情に鑑みて為された発明であり、その目的は、被監視者以外の者に対する誤監視を低減できる要看介護者監視システムを提供することである。
【手続補正４】
【補正対象書類名】明細書
【補正対象項目名】００１１
【補正方法】変更
【補正の内容】
【００１１】
本発明にかかる要看介護者監視システムは、監視対象である要看介護者の所定の状態を検知して複数の監視者に通知することで前記要看介護者を監視する要看介護者監視システムであって、前記要看介護者の、起床、離床、転倒転落および微体動異常の少なくともいずれかの状態を検知し出力する検知手段と、前記検知手段による検知を前記監視者に通知する複数の端末手段と、前記所定の状態を検知して前記監視者への通知を行う監視機能を、一時停止させるための指示入力を受け付ける監視機能停止指示入力手段と、前記監視機能停止入力手段の入力を受けて、前記監視機能を一時停止させ、所定の時間経過後に、前記監視機能の一時停止を解除する監視機能停止処理手段と、を備え、前記監視機能の一時停止により前記複数の監視者への通知を停止し、前記前記監視機能の一時停止の解除により前記複数の監視者への通知を再開する。本発明にかかる要看介護者監視システムは、被監視者以外の者に対する誤監視を低減できる。